(57)【要約】      （修正有）【課題】年齢を増す毎に肩、首筋、腰、等が痛くなる人が多く、その患部のツボを自分で押す事が出来る道具を提供する。【解決手段】体重とテコの原理を使って体位に合わせ、上部を丸棒で枠を曲げ加工し、下部をプラスチック製でつなぎ、半球状のツボ押し部１０を有する２本の押し枝１１を取り付けたものとする。【選択図】図１
0003110355.tif 000002
【実用新案登録請求の範囲】
【請求項１】
金属又はプラスチックの丸棒により人が入れる五角形を形成し、五角形の下辺部に半球状のツボ押し部を有する２本の押し枝を取り付けたツボ押し用具。
【請求項２】
五角形の頂点に紐を取り付けた請求項１のツボ押し用具。
【考案の詳細な説明】
【技術分野】
【０００１】本考案は年齢を増す毎に肩、首筋、腰が痛くなる人が多く、自分の手又は足で、小さな力でその患部のツボを押す事が出来る健康用具に関する。
【背景技術】
【０００２】
【考案の開示】
【考案が解決しようとする課題】
【０００３】従来手動のツボ押し器具が色々有るが、自分の力其のもので押すので力がいる。極力リサイクル製品とする。使用が楽で効率が良い。使用しない時の収納、利便性、医療費の節約、衛生等に留意して考案したものである。
【課題を解決する為の手段】
【０００４】金属又はプラスチックの丸棒を［図１］の符号１、先から符号２、３、４、の如く曲げ、符号５、６，７，８，９，１０，１１、１２、はプラスチック製で符号５、付近でつなぎ枠を作り、符号１３、の紐を符号４の部分にしめ付け、足で操作する時に使用する。
【考案の効果】
【０００５】自分の体重で支点（符号９）を押さえ枠の上部を押すとテコの原理で押し枝が持ち上げられ必要な力が割引される。使用しない時は［図２］の如く洋服掛けとして利用すれば収納の心配は無い。
【考案を実施する為の最良の形態】
【０００６】枠の大きさは一般成人の肩幅が入る大きさで、寝てツボ押しする場合の押し枝と体位との関係がテコを応用し［図１］の符号５，６，７，８，９，１０，１１、１２、をプラスチック製とし符号１０、の押し枝先を上に少し曲げ半球にし、患部にあたりやすくし符号２、の横枠骨に対して符号１１枝は直角とする。符号９、はテコの支点となる。符号６，７、の如く補強リブを付け、上方枠は丸棒で符号１，２，３，４、の様に曲げ、符号１の先を符号５，のプラスチックの先端の丸穴に差し込み接着し、丸棒の頂点（符号４）に紐をしめつけ足で操作する時に利用する。符号３，４．の曲げ角度は約１２０度とし符号４、を頂点とした五角形を形成する。
【実施例】
【０００７】［図３］を参照。
寝て肩、首筋を押す時、図の如く丸棒枠内に体を入れ背中を下にして符号３と４の間を握り患部に押し枝先１０を合わせ、支点９に体重を掛け、強弱を加減しながら手で丸棒枠を押し又は引く事により、テコの応用で割引された力で肩や首筋のツボを押す事が出来る。【０００８】［図４］参照
寝て腰部を押す時、図の如く丸棒枠内に体を入れ背中を下にして支点９に体重を掛け、患部に押し枝先１０を合わせ、符号４に締め付けた紐を図の如く足に掛け其の返しを符号４の横に巻き、長さを合わし手で紐を引くと足の重みで腰部ツボを押す事が出来る。【０００９】［図２］参照
使用しない時は洋服掛け、として利用出来る。又余分な紐は符号１１の枝に巻きつける。
【産業上の利用可能性】
【００１０】
【図面の簡単な説明】
【００１１】
【図１】ツボ押しアームの各部に符号を入れた立体図
【図２】ツボ押しに使用しない時、洋服掛けの利用法を示した立体図
【図３】寝て首筋、肩をツボ押しする時を示した図
【図４】紐を使い腰部のツボを足で押す時を示した図
【符号の説明】
【００１２】    １  丸棒の先端。
２  枠両サイドの丸棒。
３  丸棒枠上部曲げ部。
４  丸棒枠の頂点。
５  下辺部と丸棒つなぎの差込み部。
６  下辺部両サイドの曲がり部の補強部。
７  押し枝の分岐部の補強部。
８  押し枝先端の曲がり部。
９  五角形下辺の中央部。
１０  半球状のツボ押し部。
１１  押し枝。
１２  五角形の下辺部。
１３  足で操作する時の紐。
【図１】
0003110355.tif 000003
【図２】
0003110355.tif 000004
【図３】
0003110355.tif 000005
【図４】
0003110355.tif 000006
【手続補正書】
【提出日】平成17年2月23日(2005.2.23)
【手続補正１】
【補正対象書類名】実用新案登録請求の範囲
【補正対象項目名】全文
【補正方法】変更
【補正の内容】
【実用新案登録請求の範囲】
【請求項１】
金属の丸棒により人が入れる五角形を形成し、五角形の下辺部に金属又はプラスチックの押し玉を有する２本の押し枝を取り付けたツボ押し用具。
【請求項２】
五角形の頂点に紐を取り付けた請求項１のツボ押し用具。
【手続補正２】
【補正対象書類名】明細書
【補正対象項目名】全文
【補正方法】変更
【補正の内容】
【考案の詳細な説明】
【技術分野】
【０００１】本考案は年齢を増す毎に肩、首筋、腰が痛くなる人が多く、自分の手又は足で、小さな力でその患部のツボを押す事が出来る健康用具に関する。
【背景技術】
【０００２】
【考案の開示】
【考案が解決しようとする課題】
【０００３】従来手動のツボ押し器具が色々有るが、自分の力其のもので押すので力がいる。極力リサイクル製品とする。使用が楽で効率が良い。使用しない時の収納、利便性、医療費の節約、衛生等に留意して考案したものである。
【課題を解決する為の手段】
【０００４】金属の丸棒を［図１］の符号１、から符号２、３、４、５、６、７、８、９、１２、と曲げ符号１、と１、間に符号１１、のつなぎ棒を溶接し符号１３の紐を符号４、の部分にしめ付け、足で操作する時に使用する。
【考案の効果】
【０００５】自分の体重で支点符号１１、１２を押さえ、枠の上部を押すとテコの原理で押し枝が持ち上げられ必要な力が割引される。使用しない時は［図２］の如く洋服掛けとして利用すれば収納の心配は無い。
【考案を実施する為の最良の形態】
【０００６】枠の大きさは一般成人の肩幅が入る大きさで、寝てツボ押しする場合の押し枝と体位との関係がテコを応用し［図１］の符号１、２、３、４、５、を金属丸棒で曲げ加工し直角に出た符号８、の２本の枝先符号９、を上に曲げ、其の先を雄ネジ加工し，雌ネジ加工したプラスチック製押し玉を取り付け符号１、と１、の間に符号１１、のつなぎ丸棒を溶接し符合１１、１２、はテコの支点とし、丸棒枠の頂点符号４、に符号１３、の紐をしめ付け、足で操作する時に利用する。符合３、４、の曲げ角度は１２０度とし符号４、を頂点とした五角形を形成する。
【実施例】
【０００７】［図３］を参照。
寝て肩、首筋を押す時、図の如く丸棒枠内に体を入れ背中を下にして符号３と４の間を握り患部に押し枝先１０を合わせ、支点１１，１２、に体重を掛け、強弱を加減しながら手で丸棒枠を押し又は引く事により、テコの応用で割引された力で肩や首筋のツボを押す事が出来る。【０００８】［図４］参照
寝て腰部を押す時、図の如く丸棒枠内に体を入れ背中を下にして支点１１，１２に体重を掛け、患部に押し枝先１０を合わせ、符号４に締め付けた紐を図の如く足に掛け其の返しを符号４の横に巻き、長さを合わし手で紐を引くと足の重みで腰部ツボを押す事が出来る。【０００９】［図２］参照
使用しない時は洋服掛け、として利用出来る。又余分な紐は符号８の枝に巻きつける。
【産業上の利用可能性】
【００１０】
【図面の簡単な説明】
【００１１】
【図１】ツボ押し用具の各部に符号を入れた立体図
【図２】ツボ押しに使用しない時、洋服掛けの利用法を示した立体図
【図３】寝て首筋、肩をツボ押しする時を示した図
【図４】紐を使い腰部のツボ押しを足で操作する時を示した図
【符号の説明】
【００１２】  １押し枝分岐部。
２枠両サイド下辺曲り。
３丸棒枠上部両サイド曲り。
４丸棒枠の頂点。
５押し枝先の曲がり部。
６枠両サイドの丸棒。
７上部握り部及びハンガーに利用する部。
８押し枝。
９押し玉取り付け雄ネジ部。
１０プラスチック押し玉。
１１五角形の下辺中央部でテコの支点となる。
１２  五角形の下辺部でテコの支点となる。
１３  足で操作する時の紐。
【手続補正３】
【補正対象書類名】図面
【補正対象項目名】全図
【補正方法】変更
【補正の内容】
【図１】
0003110355.tif 000007
【図２】
0003110355.tif 000008
【図３】
0003110355.tif 000009
【図４】
0003110355.tif 000010